(57)【要約】【課題】製造ラインの組み立て工程における薄型ＬＣＤへの負荷を極力小さくすることにより、ガラス基板の割れ等の不具合を防止することができ、割れ難く、長期に亘って薄型ＬＣＤの保持を持続することができる携帯用情報機器を提供する。【解決手段】本発明の防水型携帯電話機１１は、薄型ＬＣＤ３と、薄型ＬＣＤ３の周囲を覆い保護する樹脂フレーム１２と、樹脂フレーム１２に嵌合して固定される補強用の金属フレーム１３とを備えており、樹脂フレーム１２の長手方向の側面には係止爪１２ａが形成され、金属フレーム１３の樹脂フレーム１２の係止爪１２ａに対応する位置には、係止爪１２ａと係止するための係止爪係り部１３ａが形成され、この樹脂フレーム１２の係止爪１２ａは金属フレーム１３の係止爪係り部１３ａに係止されて固定されている。【選択図】図３
2011151615.tif 000002
【特許請求の範囲】
【請求項１】
薄型の液晶表示部と、この液晶表示部の周囲を覆い保護する樹脂フレーム部と、この樹脂フレーム部に嵌合して固定される補強用の金属フレーム部とを備え、
前記樹脂フレーム部の側部には先端部までの長さが前記金属フレーム部の厚みより長い係止爪が形成されるとともに、前記金属フレーム部の側部には前記係止爪が係止される係止爪係り部が形成され、前記樹脂フレーム部の係止爪が前記金属フレーム部の係止爪係り部に係止されることにより前記液晶表示部、前記樹脂フレーム部及び前記金属フレーム部が固定されていることを特徴とする携帯用情報機器。
【請求項２】
前記係止爪係り部の平面部の位置は、絞り加工により前記樹脂フレーム部の側部から離間する方向にずれていることを特徴とする請求項１記載の携帯用情報機器。
【発明の詳細な説明】
【技術分野】
【０００１】
本発明は、液晶ディスプレイを表示面に用いた携帯用電話機、携帯用情報端末等の薄型の情報機器に好適に用いられ、特に、薄型の液晶ディスプレイ（ＬＣＤ）の組み立て時における構造上の補強、割れの防止及び品質の安定化を図ることが可能な携帯用情報機器に関するものである。
【背景技術】
【０００２】
従来、携帯用電話機、携帯用情報端末等の薄型の情報機器においては、軽量、カラー表示可能、低電圧駆動、低消費電力等の長所を備えた薄型液晶ディスプレイ（ＬＣＤ）が広く用いられている（例えば、特許文献１等参照）。
この薄型ＬＣＤは、液晶をスペーサとともに一対のガラス基板で挟持した構造であるが、近年における薄型化競争の激化やＬＣＤの大型化に伴い、薄型ＬＣＤにおいても、ガラス基板の厚みが薄いために、薄型ＬＣＤ自体の剛性が従来のものより低くなっている。そのために、製造ラインの組み立て工程では、作業者が組み立てる際に不注意によりガラス基板を割ってしまう場合があり、また、製品出荷した後に、ユーザーが取り扱っている際にガラス基板が割れる場合もある。
【０００３】
図４は従来の薄型の情報機器の一例である携帯電話機のＬＣＤ表示部側を示す分解斜視図、図５は同携帯電話機を示す図であり、（ａ）は同携帯電話機の平面図、（ｂ）は同携帯電話機の長手方向の側面図、（ｃ）は同携帯電話機の長手方向の端面を示す側面図、図６は図５のＡ−Ａ線に沿う断面図である。
図において、１は携帯電話機であり、フロントスクリーン２と、薄型ＬＣＤ３と、樹脂フレーム４と、金属フレーム５と、前面側の筐体６と、背面側の筐体７と、リアスクリーン８とにより構成されている。
この携帯電話機１では、薄型ＬＣＤ３を、例えば、ポリカーボネート（ＰＣ）等の樹脂で整形された樹脂フレーム４に対して、両面テープ等により貼付固定している。この樹脂フレーム４は、その側面に形成された係止爪４ａにより、ステンレススチール板を曲げ加工してなる金属フレーム５の一部である平面部５ａに係止されることで固定されている。
【先行技術文献】
【特許文献】
【０００４】
【特許文献１】特開２００９−２９４０００号公報
【発明の概要】
【発明が解決しようとする課題】
【０００５】
しかしながら、上述した従来の携帯電話機１では、樹脂フレーム４の側面の係止爪４ａの長さは、金属フレーム５の平面部５ａに係止させる都合上、金属フレーム５の厚みに側面係止爪４ａが係るために可動する程度の隙間分を加えた程度の長さしかない。
【０００６】
この場合、薄型ＬＣＤ３を貼付固定した樹脂フレーム４を金属フレーム５に嵌め込む際に、この樹脂フレーム４の側面に形成された係止爪４ａの撓み代が短く、したがって、樹脂フレーム４の係止爪４ａを金属フレーム５の平面部５ａに係止させる際に、相当な大きさの押し込み力が必要になり、よって、係止時に薄型ＬＣＤ３に瞬間的に衝撃力や負荷が掛かることとなり、その結果、製造ラインの組み立て工程では、作業者が組み立てる際に不注意によりガラス基板を割ってしまうこととなり、また、製品出荷した後に、ユーザーが取り扱っている際にガラス基板が割れてしまうこととなる。
【０００７】
本発明は、上記の課題を解決するためになされたものであって、製造ラインの組み立て工程における薄型ＬＣＤへの負荷を極力小さくすることにより、ガラス基板の割れ等の不具合を防止することができ、割れ難く、長期に亘って薄型ＬＣＤの保持を持続することができる携帯用情報機器を提供することを目的とする。
【課題を解決するための手段】
【０００８】
本発明者等は、鋭意検討を重ねた結果、樹脂フレームの側部に先端部までの長さが金属フレームの厚みより長い係止爪を形成するとともに、金属フレームの側部に前記係止爪を係止するための係止爪係り部を形成し、樹脂フレームの係止爪を金属フレームの係止爪係り部に係止させれば、薄型ＬＣＤへの負荷を極力小さくすることができ、その結果、ガラス基板の割れ等の不具合を防止することができ、割れ難く、長期に亘って薄型ＬＣＤの保持を持続することができることを見出し、本発明を提案するに至った。
【０００９】
すなわち、本願の請求項１記載の携帯用情報機器は、薄型の液晶表示部と、この液晶表示部の周囲を覆い保護する樹脂フレーム部と、この樹脂フレーム部に嵌合して固定される補強用の金属フレーム部とを備え、前記樹脂フレーム部の側部には先端部までの長さが前記金属フレーム部の厚みより長い係止爪が形成されるとともに、前記金属フレーム部の側部には前記係止爪が係止される係止爪係り部が形成され、前記樹脂フレーム部の係止爪が前記金属フレーム部の係止爪係り部に係止されることにより前記液晶表示部、前記樹脂フレーム部及び前記金属フレーム部が固定されていることを特徴とする。
【００１０】
この携帯用情報機器では、樹脂フレーム部の側部に先端部までの長さが金属フレーム部の厚みより長い係止爪を形成し、金属フレーム部の側部に係止爪を係止させるための係止爪係り部を形成し、この樹脂フレーム部の係止爪を金属フレーム部の係止爪係り部に係止させることにより液晶表示部、樹脂フレーム部及び金属フレーム部を固定したことにより、係止の際の液晶表示部への負荷が極めて小さくなり、液晶表示部に割れ等の不具合が発生する虞がなくなる。これにより、割れ難く、長期に亘って薄型の液晶表示部を保持し続けることが可能になる。
【００１１】
本願の請求項２記載の携帯用情報機器は、請求項１記載の携帯用情報機器において、前記係止爪係り部の平面部の位置は、絞り加工により前記樹脂フレーム部の側部から離間する方向にずれていることを特徴とする。
【００１２】
この携帯用情報機器では、係止爪係り部の平面部の位置を、絞り加工により樹脂フレーム部の側部から離間する方向にずらしたことにより、樹脂フレーム部の係止爪の先端部から金属フレーム部の係止爪係り部までの長さを、金属フレーム部の厚みより長くしても、樹脂フレーム部の係止爪が金属フレーム部の係止爪係り部に係止することが可能になる。
【発明の効果】
【００１３】
本発明によれば、樹脂フレーム部の側部に先端部までの長さが金属フレーム部の厚みより長い係止爪を形成し、金属フレーム部の側部に係止爪を係止させるための係止爪係り部を形成し、この樹脂フレーム部の係止爪を金属フレーム部の係止爪係り部に係止させたので、係止の際の液晶表示部への負荷を極めて小さくすることができ、したがって、樹脂フレーム部の係止爪を金属フレーム部の係止爪係り部に係止させる際の押し込み力を小さくすることができ、液晶表示部に割れ等の不具合が発生する虞もない。
以上により、割れ難く、長期に亘って薄型の液晶表示部を保持し続けることができる。
【００１４】
また、係止爪係り部の平面部の位置を、絞り加工により樹脂フレーム部の側部から離間する方向にずらしたので、樹脂フレーム部の係止爪の先端部から金属フレーム部の係止爪係り部までの長さを、金属フレーム部の厚みより長くしても、樹脂フレーム部の係止爪を金属フレーム部の係止爪係り部に係止することができる。したがって、係止位置を調整することができ、樹脂フレーム部の係止爪を金属フレーム部の係止爪係り部に係止させる際の押し込み力を調整することができる。
【図面の簡単な説明】
【００１５】
【図１】本発明の一実施の形態の防水型携帯電話機のＬＣＤ表示部側を示す分解斜視図である。
【図２】本発明の一実施の形態の防水型携帯電話機を示す図であり、（ａ）は同防水型携帯電話機の平面図、（ｂ）は同防水型携帯電話機の長手方向の側面図、（ｃ）は同防水型携帯電話機の長手方向の端面を示す側面図である。
【図３】図２のＢ−Ｂ線に沿う断面図である。
【図４】従来の携帯電話機のＬＣＤ表示部側を示す分解斜視図である。
【図５】従来の携帯電話機を示す図であり、（ａ）は同携帯電話機の平面図、（ｂ）は同携帯電話機の長手方向の側面図、（ｃ）は同携帯電話機の長手方向の端面を示す側面図である。
【図６】図５のＡ−Ａ線に沿う断面図である。
【発明を実施するための形態】
【００１６】
本発明の携帯用情報機器を実施するための形態について説明する。
なお、この形態は、発明の趣旨をより良く理解させるために具体的に説明するものであり、特に指定のない限り、本発明を限定するものではない。
ここでは、携帯用情報機器として、防水型携帯電話機を例に取り説明する。
【００１７】
図１〜図３は本発明の一実施の形態の防水型携帯電話機を示す図であり、図において、図４〜図６と同一の構成要素には同一の符号を付してある。
この防水型携帯電話機１１は、フロントスクリーン２と、薄型ＬＣＤ３と、この薄型ＬＣＤ３の周囲を覆い保護する樹脂フレーム１２（樹脂フレーム部）と、この樹脂フレーム１２に嵌合して固定される補強用の金属フレーム１３（金属フレーム部）と、前面側の筐体６と、背面側の筐体７と、リアスクリーン８とにより構成されている。
【００１８】
樹脂フレーム１２は、例えば、ポリカーボネート（ＰＣ）等の樹脂で整形された剛性を有する矩形の枠状のもので、長手方向の側面には係止爪１２ａが形成されている。この係止爪１２ａは、先端部までの長さが金属フレーム１３の厚みより長いこととされている。
この樹脂フレーム１２は、薄型ＬＣＤ３の裏面に対して、両面テープ等により貼付固定されている。
【００１９】
金属フレーム１３は、ステンレススチール板等を曲げ加工したもので、樹脂フレーム１２の側面の係止爪１２ａに対応する位置には、係止爪１２ａと係止するための係止爪係り部１３ａが形成されている。この係止爪係り部１３ａの平面部の位置は、絞り加工により樹脂フレーム１２の側部から離間する方向（図１及び図３では水平方向）にずれている。
【００２０】
この防水型携帯電話機１１では、樹脂フレーム１２の係止爪１２ａを金属フレーム１３の係止爪係り部１３ａに嵌め込む際に、係止爪１２ａの先端部までの長さが金属フレーム１３の厚みより長いために、係止爪１２ａが撓み易くなり、この係止爪１２ａに係る応力が小さくてすむようになる。したがって、係止爪１２ａの押し込み力が小さくなり、その結果、係止の際の薄型ＬＣＤ３への負荷が極めて小さくなり、薄型ＬＣＤ３に割れ等の不具合が発生する虞がなくなる。
このようにして、樹脂フレーム１２の係止爪１２ａは、それ自体の有する撓み力、すなわちそれ自体の有するバネ性により金属フレーム１３の係止爪係り部１３ａに係止され、固定される。
【００２１】
本実施形態の防水型携帯電話機１１によれば、樹脂フレーム１２の長手方向の側面に、先端部までの長さが金属フレーム１３の厚みより長い係止爪１２ａを形成し、金属フレーム１３の長手方向の側面の係止爪１２ａに対応する位置に、係止爪１２ａと係止するための係止爪係り部１３ａを形成し、樹脂フレーム１２の係止爪１２ａを金属フレーム１３の係止爪係り部１３ａに係止させたので、係止の際の薄型ＬＣＤ３への負荷を極めて小さくすることができる。したがって、樹脂フレーム１２の係止爪１２ａを金属フレーム１３の係止爪係り部１３ａに係止させる際の押し込み力を小さくすることができ、薄型ＬＣＤ３にかかる衝撃力や負荷を小さくすることができる。その結果、長期に亘って薄型ＬＣＤ３を保持し続けることができる。
【００２２】
また、係止爪係り部１３ａの平面部の位置を、絞り加工により樹脂フレーム１２から離間する方向にずらしたので、樹脂フレーム１２の係止爪１２ａの先端部から金属フレーム１３の係止爪係り部１３ａまでの長さを、金属フレーム１３の厚みより長くしても、樹脂フレーム１２の係止爪１２ａを金属フレーム１３の係止爪係り部１３ａに係止することができる。したがって、係止する位置を調整することができる。
【００２３】
なお、本実施形態では、防水型携帯電話機を例に取り説明したが、防水型携帯電話機に限定されず、一般の携帯電話機や携帯用情報端末においても、十分適用可能であり、本実施形態の防水型携帯電話機と同様の優れた効果を奏することができる。
【００２４】
また、本実施形態の防水型携帯電話機では、樹脂フレーム１２の長手方向の側面に、先端部までの長さが金属フレーム１３の厚みより長い係止爪１２ａを１つ形成し、金属フレーム１３の長手方向の側面の樹脂フレーム１２の係止爪１２ａに対応する位置に、係止爪１２ａと係止するための係止爪係り部１３ａを１つ形成した構成としたが、係止爪１２ａ及び係止爪係り部１３ａの形成位置や個数は、上記の実施形態に限ることなく、適宜変更可能である。
【符号の説明】
【００２５】
１１  防水型携帯電話機
２  フロントスクリーン
３  薄型ＬＣＤ
１２  樹脂フレーム
１２ａ  係止爪
１３  金属フレーム
１３ａ  係止爪係り部
６  前面側の筐体
７  背面側の筐体
８  リアスクリーン
【図１】
2011151615.tif 000003
【図２】
2011151615.tif 000004
【図３】
2011151615.tif 000005
【図４】
2011151615.tif 000006
【図５】
2011151615.tif 000007
【図６】
2011151615.tif 000008